【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
モノマー又はオリゴマーの縮合反応における重縮合物の調製のための、又は重縮合物の溶融加工あるいは固相重縮合による該縮合物の改質のための方法であって、重縮合反応の間に、
ａ１）式（Ｉ）
【化１】
2007506829.tif 000001
（式中、
Ｒ103はＨ、炭素原子数１ないし２０のアルキル基、未置換の又は炭素原子数１ないし４
のアルキル基により置換されたフェニル基又はナフチル基を表し、
Ｒ104は水素原子、炭素原子数１ないし２０のアルキル基、未置換の又は炭素原子数１な
いし４のアルキル基により置換されたフェニル基又はナフチル基；又は
Ｍr+／ｒを表し、
Ｍr+はｒ価の金属カチオン又はアンモニウムイオンを表し、
ｎは０，１，２，３，４，５又は６を表し、及び
ｒは１，２，３又は４を表し；
Ｑは水素原子、−Ｘ−Ｃ（Ｏ）−ＯＲ107、又はラジカル
【化２】
2007506829.tif 000002
を表し、
Ｒ101はイソプロピル基、第三ブチル基、シクロヘキシル基、又は１ないし３個の炭素原
子数１ないし４のアルキル基により置換されたシクロヘキシル基を表し、
Ｒ102は水素原子、炭素原子数１ないし４のアルキル基、シクロヘキシル基、又は１ない
し３個の炭素原子数１ないし４のアルキル基により置換されたシクロヘキシル基を表し、Ｒ105はＨ、炭素原子数１ないし１８のアルキル基、ＯＨ基、ハロゲン原子又は炭素原子
数３ないし７のシクロアルキル基を表し；
Ｒ106はＨ、メチル基、トリメチルシリル基、ベンジル基、フェニル基、スルホニル基又
は炭素原子数１ないし１８のアルキル基を表し；
Ｒ107はＨ、炭素原子数１ないし１０のアルキル基又は炭素原子数３ないし７のシクロア
ルキル基を表し；及び
Ｘはフェニレン基、炭素原子数１ないし４のアルキル基により置換されたフェニレン基又はシクロヘキシレン基を表す。）で表される化合物；又は
ａ２）式（ＩＩ）
【化３】
2007506829.tif 000003
［式中、
Ｒ201は水素原子、炭素原子数１ないし２０のアルキル基、フェニル基又は炭素原子数１
ないし４のアルキル基により置換されたフェニル基；ビフェニル基、ナフチル基、−ＣＨ2−Ｏ−炭素原子数１ないし２０のアルキル基又は−ＣＨ2−Ｓ−炭素原子数１ないし２０のアルキル基を表し、
Ｒ202は炭素原子数１ないし２０のアルキル基、フェニル基又は炭素原子数１ないし４の
アルキル基により置換されたフェニル基；ビフェニル基、ナフチル基、−ＣＨ2−Ｏ−炭
素原子数１ないし２０のアルキル基又は−ＣＨ2−Ｓ−炭素原子数１ないし２０のアルキ
ル基を表し、又はＲ1とＲ2は一緒になって式ＩＩＩ
【化４】
2007506829.tif 000004
（式中、
Ｒ203、Ｒ204及びＲ205は互いに独立して炭素原子数１ないし２０のアルキル基、フェニ
ル基又は炭素原子数１ないし４のアルキル基により置換されたフェニル基を表す。）で表されるラジカルを表し；
Ｒ206は水素原子、炭素原子数１ないし１８のアルキル基又はアルカリ金属イオン又はア
ンモニウムイオンを表しもしくは
Ｒ206はＲ202と一緒に脂肪族又は芳香族環状エステルを形成する直接結合を表す。］で表される化合物；又は
ａ３）式（Ｉ）及び（ＩＩ）で表される化合物；
及び
ｂ）式１ないし８
【化５】
2007506829.tif 000005
【化６】
2007506829.tif 000006
【化７】
2007506829.tif 000007
【化８】
2007506829.tif 000008
【化９】
2007506829.tif 000009
【化１０】
2007506829.tif 000010
【化１１】
2007506829.tif 000011
【化１２】
2007506829.tif 000012
【化１３】
2007506829.tif 000013
［式中、
Ｒ1は式
【化１４】
2007506829.tif 000014
［式中、
Ｒ3は未置換の又は置換されたアルキル又はアリール基を表し；
Ｒ4はＭ、又は未置換の又は置換されたアルキル又はアリール基を表し；
Ｒ5は水素原子；未置換の又は置換されたアルキル又はアリール基；又は−ＮＲ7Ｒ8（式
中、Ｒ7及びＲ8は各々互いに独立して水素原子又は未置換の又は置換されたアルキル又はアリール基を表し、又はＲ7とＲ8はそれらを結合する窒素原子と一緒になって複素環式ラジカル、特にモノホリノ又はピペリジノラジカルを形成する。）を表し、
Ｒ6は水素原子、又は未置換の又は置換されたアルキル又はアリール基を表す。］で表さ
れるラジカルを表し；
Ｒ2は水素原子；未置換の又は置換されたアルキル又はアリール基；式
【化１５】
2007506829.tif 000015
−ＯＨ、−ＮＨ2、−Ｎ（ＣＨ2ＣＨ2ＯＨ）2、−Ｎ［ＣＨ2ＣＨ（ＯＨ）ＣＨ3］2、−Ｎ
Ｈ−Ｒ4、−Ｎ（Ｒ4）2又は−ＯＲ4を表し；又は
Ｒ1及びＲ2は各々互いに独立して−ＯＨ、−Ｃｌ、−ＮＨ2、−Ｏ−炭素原子数１ないし
４のアルキル基、−Ｏ−アリール基、−ＮＨ−炭素原子数１ないし４のアルキル基、−Ｎ（炭素原子数１ないし４のアルキル）2基、−Ｎ（炭素原子数１ないし４のアルキル）（
炭素原子数１ないし４のヒドロキシアルキル）基、−Ｎ（炭素原子数１ないし４のヒドロキシアルキル）2基、−ＮＨ−アリール基、モノホリノ基又は−Ｓ−炭素原子数１ないし
４のアルキル（アリール）基を表し；
Ｒ9及びＲ10は各々互いに独立して水素原子、炭素原子数１ないし４のアルキル基、フェ
ニル基、又は
【化１６】
2007506829.tif 000016
で表されるラジカルを表し；
Ｒ11は水素原子、−Ｃｌ又はＳＯ3Ｍを表し；
Ｒ12は−ＣＮ、−ＳＯ3Ｍ、−Ｓ（炭素原子数１ないし４のアルキル）2基又は−Ｓ（アリール）2基を表し；
Ｒ13は水素原子、−ＳＯ3Ｍ、−Ｏ−炭素原子数１ないし４のアルキル基、−ＣＮ、−Ｃ
ｌ、−ＣＯＯ−炭素原子数１ないし４のアルキル基又は−ＣＯＮ（炭素原子数１ないし４のアルキル）2基を表し；
Ｒ14は水素原子、炭素原子数１ないし４のアルキル基、−Ｃｌ又は−ＳＯ3Ｍを表し；
Ｒ15及びＲ16は各々互いに独立して水素原子、炭素原子数１ないし４のアルキル基、−ＳＯ3Ｍ、−Ｃｌ又は−Ｏ−炭素原子数１ないし４のアルキル基を表し；
Ｒ17は水素原子又は炭素原子数１ないし４のアルキル基を表し；
Ｒ18は水素原子、炭素原子数１ないし４のアルキル基、−ＣＮ、−Ｃｌ、−ＣＯＯ−炭素原子数１ないし４のアルキル基、−ＣＯＮ（炭素原子数１ないし４のアルキル）2基、ア
リール基又は−Ｏ−アリール基を表し；
Ｍは水素原子、ナトリウム、カリウム、カルシウム、マグネシウム、アンモニウム、モノ−、ジ−、トリ−又はテトラ−炭素原子数１ないし４のアルキルアンモニウム、モノ−、ジ−又はトリ−炭素原子数１ないし４のヒドロキシアルキルアンモニウム、もしくは炭素原子数１ないし４のアルキル基及び炭素原子数１ないし４のヒドロキシアルキル基の混合物によりジ−又はトリ−置換されたアンモニウムを表し；及び
ｎ1、ｎ2及びｎ3は各々互いに独立して０又は１を表す。］  に従う化合物又はそれらの
混合物からなる群から選ばれた蛍光増白剤、
を添加することを含む方法。
【請求項２】
付加的に２ないし８個の無水物官能基を有するポリ無水物が加えられる請求項１記載の方法。
【請求項３】
多官能価のヒドロキシル化合物（ポリオール）、多官能価のエポキシ化合物、多官能価のアミン化合物（ポリアミン）、多官能価のアジリジン化合物（ポリアジリジン）、多官能価のイソシアネート化合物（ポリイソシアネート）、多官能価のオキサゾリン化合物（ポリオキサゾリン）、多官能価のチオアルコール、又はそれらの化合物の組み合わせからなる群より選ばれる更なる多官能価の化合物が、加えられる請求項１記載の方法。
【請求項４】
請求項１記載の方法で得られる重縮合物。
【請求項５】
重縮合物及び、請求項１記載の
ａ１）式（Ｉ）で表される化合物；又は
ａ２）式（ＩＩ）で表される化合物；又は
ａ３）式（Ｉ）及び（ＩＩ）で表される化合物及び
ｂ）式１ないし８で表される化合物
を含む組成物。